(57)【要約】【課題】開口部を開閉するドアの構成が複雑化しないようにしつつ、防火扉が特定防火設備としての認定を受ける必要がない自動ドアシステムを提供する。【解決手段】自動ドアシステムは、不燃性の材質からなる戸枠３９と、可燃性の材質からなる閉塞部４０とを有するドア２１と、防火性能を有する防火扉１４と、防火時に防火扉１４を、開口部ＷＯを閉じる位置に移動させるための制御を行う連動制御盤と、を備える。防火時に、防火扉１４によって開口部ＷＯを閉塞するとともに、ドア２１の戸枠３９及び防火扉１４によって壁体Ｗとの間のすき間を所定以下にする。【選択図】図３
2015151816.tif 000002
【特許請求の範囲】
【請求項１】
不燃性の材質からなる戸枠と、可燃性の材質からなり前記戸枠の内側の空間部を塞ぐ閉塞部とを有するドアと、
前記ドアが壁体に形成された開口部を開放する開き位置と前記開口部を閉じる閉じ位置との間で移動するように前記ドアを駆動する制御を行う駆動制御部と、
防火性能を有する防火扉と、
防火時に前記防火扉を、前記開口部を閉じる位置に移動させるための制御を行う防火制御部と、を備え、
前記防火時に、前記防火扉によって前記開口部を閉塞するとともに、前記ドアの前記戸枠及び前記防火扉によって前記壁体との間のすき間を所定以下にする自動ドアシステム。
【請求項２】
前記閉塞部は、前記戸枠の厚みよりも薄く形成されるとともに、前記戸枠の内周面に嵌め込まれており、
前記ドアが前記開き位置に移動したときには、指詰め防止のための引き残しが生じる位置で前記ドアが停止し、
前記駆動制御部は、防火時に前記防火制御部からの信号を受信して、前記引き残しを解消するように前記ドアの駆動制御を行う防火時駆動制御部を含む請求項１に記載の自動ドアシステム。
【請求項３】
前記防火扉は、鉛直軸回りに回動して前記開口部を閉じる位置に移動する請求項１又は２に記載の自動ドアシステム。
【請求項４】
前記防火扉は、前記開口部が開放される通常位置にあるときに、前記壁体と共に前記ドアの戸袋を構成する請求項３に記載の自動ドアシステム。
【請求項５】
前記防火扉の回動軸側の部位は、前記開口部を閉じる位置にあるときに前記ドアとの間に形成される隙間が、前記通常位置にあるときに前記ドアとの間に形成される隙間よりも小さくなるように形成されている請求項４に記載の自動ドアシステム。
【請求項６】
前記防火扉には、該防火扉が前記通常位置にある状態で前記ドアが前記開き位置で引き残しを作るように、前記ドアのストッパが設けられている請求項３から５の何れか１項に記載の自動ドアシステム。
【請求項７】
前記防火扉は、スライド移動することによって前記開口部を閉じる位置に移動する請求項１又は２に記載の自動ドアシステム。
【請求項８】
前記防火扉は、前記開口部が開放される通常位置にあるときに、前記壁体と共に前記ドアの戸袋を構成する請求項７に記載の自動ドアシステム。
【請求項９】
前記防火扉には子扉が設けられており、
前記駆動制御部は、前記防火扉によって前記開口部を閉じるときに前記ドアを前記子扉の位置からずれた位置に移動させる制御を行うように構成されている請求項１から８の何れか１項に記載の自動ドアシステム。
【請求項１０】
前記防火扉は、スライド移動して前記開口部を閉じる位置に移動したときに、前記閉じ位置にある前記ドアの前記戸枠における戸先側の縦枠に当接する請求項７に記載の自動ドアシステム。
【請求項１１】
前記防火扉は、前記開口部の上側に丸められた状態又は折り畳まれた状態で配置され、防火時に引き出されながら降下することによって前記開口部を塞ぐように構成されている請求項１又は２に記載の自動ドアシステム。
【請求項１２】
請求項１から１１の何れか１項に記載の自動ドアシステムに用いられる自動ドアであって、
前記ドアと、
前記駆動制御部と、を備えている自動ドア。
【請求項１３】
請求項２に記載の自動ドアシステムに用いられる自動ドアであって、
前記ドアと、
前記駆動制御部と、を備え、
前記駆動制御部の前記防火時駆動制御部は、前記自動ドアの外部の防火制御部からの信号を受信して、前記引き残しを解消するように前記ドアの駆動制御を行う自動ドア。
【発明の詳細な説明】
【技術分野】
【０００１】
本発明は、自動ドアシステム及び自動ドアに関するものである。
【背景技術】
【０００２】
従来、下記特許文献１に開示されているように、枠体に耐熱ガラスが嵌め込まれた構成のドアを用いた自動ドアが知られている。一方、防火扉にガラスの部材が用いられている場合には、特定防火設備に認定されるための耐火試験に合格する必要があり、大きなコストがかかってしまう。また、耐熱ガラスの施工工事は専門の業者が行う必要があるため、この点からも高コストとなってしまう。
【０００３】
そこで、下記特許文献２及び３に開示されているように、枠体に通常の板ガラスが嵌め込まれた構成とする一方で、火災時には、この板ガラスを金属の板部材で遮蔽する機構を用いた技術が開発されている。
【先行技術文献】
【特許文献】
【０００４】
【特許文献１】特開平８−２８４５４４号公報
【特許文献２】特開２０１０−２８１７３３号公報
【特許文献３】特開２０１０−１２６９０２号公報
【発明の概要】
【発明が解決しようとする課題】
【０００５】
しかしながら、前記特許文献２及び３の自動ドアでは、金属製のドアの内部に遮蔽機構を内蔵させる必要があるため、ドアの構成が複雑化するとともにドアが重くなるという問題がある。
【０００６】
そこで、本発明は、前記従来技術を鑑みてなされたものであり、その目的とするところは、開口部を開閉するドアの構成が複雑化しないようにしつつ、防火扉が特定防火設備としての認定を受ける必要がない自動ドアシステムを提供することにある。
【課題を解決するための手段】
【０００７】
前記の目的を達成するため、本発明は、不燃性の材質からなる戸枠と、可燃性の材質からなり前記戸枠の内側の空間部を塞ぐ閉塞部とを有するドアと、前記ドアが壁体に形成された開口部を開放する開き位置と前記開口部を閉じる閉じ位置との間で移動するように前記ドアを駆動する制御を行う駆動制御部と、防火性能を有する防火扉と、防火時に前記防火扉を、前記開口部を閉じる位置に移動させるための制御を行う防火制御部と、を備え、前記防火時に、前記防火扉によって前記開口部を閉塞するとともに、前記ドアの前記戸枠及び前記防火扉によって前記壁体との間のすき間を所定以下にする自動ドアシステムである。
【０００８】
本発明では、防火扉が防火性能を有するため、特定防火設備としての認定を受ける必要がない。また、ドアは、戸枠と戸枠の内側の空間部を塞ぐ閉塞とを有するだけの構成であるため、ドアの構成が複雑化していることがなく、重量増になっているわけでもない。防火時に防火扉によって開口部が塞がれるとともに、ドアの戸枠と防火扉とにより壁体との間のすき間が所定以下になるため、例えば閉塞部を構成するガラス材が割れたり、閉塞部を構成する木製部材が燃えたりしたとしても、所定の防火性能を発揮することができる。そして、このドアは、駆動制御部の制御によって開き位置と閉じ位置との間で駆動される。なお、閉塞部を構成する板材として、ガラス材が用いられる場合には、採光や外観の面で効果的である。なお、不燃性の材質とは、建築基準法に定められた材質、より詳しくは、建築基準法告示の特定防火設備の構造に定められた材質であり、例えば鉄や鉄骨コンクリートや鉄筋コンクリートである。また、可燃性の材質とは、耐火試験に合格しないような材質、例えばガラスや木材など、熱により溶融したり燃えたりするものである。さらに防火性能を有する防火扉とは、上記告示の要求を満たす扉であり、例えば骨組を鉄製とし、両面にそれぞれ厚さが０．５ミリメートル以上の鉄板を張った扉や、鉄製で鉄板の厚さが１．５ミリメートル以上の扉をいう。
【０００９】
前記閉塞部は、前記戸枠の厚みよりも薄く形成されるとともに、前記戸枠の内周面に嵌め込まれていてもよい。前記ドアが前記開き位置に移動したときには、指詰め防止のための引き残しが生じる位置で前記ドアが停止してもよい。前記駆動制御部は、防火時に前記防火制御部からの信号を受信して、前記引き残しを解消するように前記ドアの駆動制御を行う防火時駆動制御部を含んでもよい。
【００１０】
この態様では、通常時の閉じ動作において、引き残しを設けることにより、戸枠の厚みよりも薄い閉塞部と壁体との間に隙間が残される。この結果、指詰めが発生することを防止することができる。一方、防火時には、閉塞部と壁体との間の隙間が解消されるように、ドアが駆動されて引き残しが解消される。したがって、防火時には、戸枠及び防火扉によって壁体との間の隙間が解消された状態で開口部が塞がれた状態になるため、耐火試験に合格しないような材質からなる閉塞部が火炎によって割れたり、溶けたりすることがあったとしても、防火を確実に行うことができる。
【００１１】
前記防火扉は、鉛直軸回りに回動して前記開口部を閉じる位置に移動してもよい。この態様では、防火扉を鉛直軸回りに回動させるための構成要素が必要になるだけであり、防火扉の駆動機構を簡素化することができる。
【００１２】
前記防火扉は、前記開口部が開放される通常位置にあるときに、前記壁体と共に前記ドアの戸袋を構成してもよい。この態様では、防火扉が通常位置にあるときには、防火扉がドアの戸袋としても機能するため、ドアの戸尻側での安全性を確保することができる。
【００１３】
前記防火扉の回動軸側の部位は、前記開口部を閉じる位置にあるときに前記ドアとの間に形成される隙間が、前記通常位置にあるときに前記ドアとの間に形成される隙間よりも小さくなるように形成されていてもよい。この態様では、防火扉の回動時に防火扉の回動軸側の部位がドアと干渉することを防止でき、しかも、防火扉が開口部を閉じる位置にきたときに、ドアとの間に形成される隙間の幅が小さくなることにより、防火性を向上することができる。
【００１４】
前記防火扉には、該防火扉が前記通常位置にある状態で前記ドアが前記開き位置で引き残しを作るように、前記ドアのストッパが設けられていてもよい。この態様では、ストッパによってドアを物理的に止めることによって引き残しを確保する。したがって、ドアが開き位置に移動したときに引き残しが生じないような事態が生ずることを確実に回避することができる。しかも、防火扉が鉛直軸回りに回動するため、防火扉にストッパが設けられているとしても、防火扉が回動するさいにストッパがドアと干渉することを防止することができる。
【００１５】
前記防火扉は、スライド移動することによって前記開口部を閉じる位置に移動してもよい。この態様では、防火扉が回動するために必要なスペースが不要になる。また、防火扉の回動範囲に物が置かれていて防火扉を閉めることができない、とうような事態が生ずることを回避することができる。
【００１６】
前記防火扉は、前記開口部が開放される通常位置にあるときに、前記壁体と共に前記ドアの戸袋を構成してもよい。この態様では、防火扉が通常位置にあるときには、防火扉がドアの戸袋としても機能するため、ドアの戸尻側での安全性を確保することができる。
【００１７】
前記防火扉には子扉が設けられていてもよい。前記駆動制御部は、前記防火扉によって前記開口部を閉じるときに前記ドアを前記子扉の位置からずれた位置に移動させる制御を行うように構成されていてもよい。この態様では、防火扉によって開口部が閉鎖されているときでも、子扉を開けることによって、避難することができる。このときドアが避難の邪魔になることもない。
【００１８】
前記防火扉は、スライド移動して前記開口部を閉じる位置に移動したときに、前記閉じ位置にある前記ドアの前記戸枠における戸先側の縦枠に当接してもよい。この態様では、ドアが移動するドアウェイ上を防火扉がスライド移動する構成となるため、ドア及び防火扉を含めた全体の厚みを薄くすることができる。
【００１９】
前記防火扉は、前記開口部の上側に丸められた状態又は折り畳まれた状態で配置され、防火時に引き出されながら降下することによって前記開口部を塞ぐように構成されていてもよい。この態様では、防火扉をコンパクトに収容することができる。
【００２０】
本発明は、前記自動ドアシステムに用いられる自動ドアであって、前記ドアと、前記駆動制御部と、を備えている自動ドアである。
【００２１】
本発明は、前記自動ドアシステムに用いられる自動ドアであって、前記ドアと、前記駆動制御部と、を備え、前記駆動制御部の前記防火時駆動制御部は、前記自動ドアの外部の防火制御部からの信号を受信して、前記引き残しを解消するように前記ドアの駆動制御を行う自動ドアである。
【発明の効果】
【００２２】
以上説明したように、本発明によれば、開口部を開閉するドアの構成が複雑化しないようにしつつ、防火扉が特定防火設備としての認定を受ける必要がない自動ドアシステムを提供することができる。
【図面の簡単な説明】
【００２３】
【図１】本発明の第１実施形態に係る自動ドアシステムの全体構成を説明するためのブロック図である。
【図２】（ａ）前記自動ドアシステムを構成する自動ドア及び防火扉を正面から見たときの図であり、（ｂ）前記自動ドアシステムを構成する自動ドア及び防火扉を側面から見たときの断面図である。
【図３】（ａ）ドアが閉じ位置にあり、防火扉が通常状態にあるときの前記自動ドアシステムの構成を説明するための図であり、（ｂ）ドアが開き位置にあり、防火扉が通常位置にあるときの前記自動ドアシステムの構成を説明するための図である。
【図４】ドアが全開位置にあり、防火扉が防火位置にあるときの前記自動ドアシステムの構成を説明するための図である。
【図５】ドアが開き位置にあるときの状態を説明するための図である。
【図６】防火時にドアが閉じ位置に位置づけられる変形例を示す図である。
【図７】変形例としてのドアの構成を説明するための図である。
【図８】（ａ）第１実施形態の変形例において、ドアが開き位置にあり、防火扉が通常位置にあるときの構成を説明するための図であり、（ｂ）ドアが全開位置にあり、防火扉が防火位置にあるときの構成を説明するための図である。
【図９】防火時にドアが閉じ位置に位置づけられる変形例を示す図である。
【図１０】（ａ）第２実施形態において、ドアが開き位置にあり、防火扉が通常位置にあるときの構成を説明するための図であり、（ｂ）ドアが全開位置にあり、防火扉が防火位置にあるときの構成を説明するための図である。
【図１１】防火時にドアが閉じ位置に位置づけられる変形例を示す図である。
【図１２】（ａ）第２実施形態の変形例において、ドアが開き位置にあり、防火扉が通常位置にあるときの構成を説明するための図であり、（ｂ）ドアが全開位置にあり、防火扉が防火位置にあるときの構成を説明するための図である。
【図１３】防火時にドアが閉じ位置に位置づけられる変形例を示す図である。
【図１４】（ａ）第２実施形態の変形例において、ドアが開き位置にあり、防火扉が通常位置にあるときの構成を説明するための図であり、（ｂ）ドアが全開位置にあり、防火扉が防火位置にあるときの構成を説明するための図である。
【図１５】第２実施形態の変形例に係る自動ドアシステムを構成する自動ドア及び防火扉を正面から見たときの図である。
【図１６】（ａ）ドアが閉じ位置にあり、防火扉が通常状態にあるときの構成を説明するための図であり、（ｂ）ドアが開き位置にあり、防火扉が通常位置にあるときの構成を説明するための図であり、（ｃ）ドアが全開位置にあり、防火扉が防火位置にあるときの構成を説明するための図である。
【図１７】防火時にドアが閉じ位置に位置づけられる変形例を示す図である。
【図１８】ドアの引き残しを機械的な構成で解消するための構成を説明するための図である。
【図１９】（ａ）防火扉が通常位置にある状態を示し、（ｂ）防火扉が回動し始めて押圧部が受け部に当接した状態を示し、（ｃ）押圧部が受け部を押圧してドアを全開位置に動かした状態を示し、（ｄ）押圧部が受け部から外れて、防火扉が防火位置に達したときの状態を説明する図である。
【発明を実施するための形態】
【００２４】
以下、本発明を実施するための形態について図面を参照しながら詳細に説明する。
【００２５】
（第１実施形態）
図１に示すように、第１実施形態に係る自動ドアシステム１０は、自動ドア１２と、建築基準法  告示「特定防火設備の構造を定める件」の要件を満たす防火性能を有する防火扉１４と、防火扉１４を動作させるための防火装置１６と、これらを統合制御する連動制御盤１８と、を備えている。自動ドア１２は、ドア２１と、ドア２１を開閉動作させる自動ドア装置２２と、を有する。
【００２６】
自動ドア装置２２は、ドア２１を駆動する制御を行う駆動制御部である自動ドアコントローラ２６と、自動ドアコントローラ２６に電気的に接続されたドアエンジンとしてのモータ２７と、ドア２１が所定の位置に移動したか否かを検知するためのリミットスイッチ２８とを有する。
【００２７】
防火装置１６は、防火扉１４のロックを解除するためのロック解除装置３０と、防火扉１４が作動した否かを検知するためのリミットスイッチ３１とを有する。防火扉１４は図略のロック装置によって通常位置に維持されるようにロックされているので、ロック解除装置３０は、防火時に連動制御盤１８から送信される信号（非常信号）を受けると、ロックを解除する動作を行う。防火扉１４は、オートヒンジ３２によって、後述する開口部ＷＯを閉じる位置に向かって動くように付勢されている。ロックが解除されると、防火扉１４は、オートヒンジ３２の付勢力によって開口部ＷＯを閉じる位置に向かって移動するように動作する。
【００２８】
連動制御盤１８は、火災報知器２４からの信号を受信すると、防火時であることを示す信号（非常信号）をロック解除装置３０及び自動ドアコントローラ２６へ出力する。すなわち、連動制御盤１８は、防火時に防火扉１４を閉じるための制御を行う防火制御部として機能する。自動ドアコントローラ２６は、防火時に連動制御盤１８から送信される信号（非常信号）を受けると、ドア２１が所定の位置（後述する全開位置等）に移動するようにモータ２７を駆動制御する。
【００２９】
図２（ａ）（ｂ）に示すように、建物の壁体Ｗには、左右一対の縦枠３５，３６が固定されるとともに、これら一対の縦枠３５，３６に架設されるようにヘッダボックス３７が固定されている。図２（ｂ）では図示省略しているが、ヘッダボックス３７には、ドア２１を駆動する駆動装置や、自動ドアコントローラ２６が配設されている。なお、壁体Ｗは、建物の壁自体でもよく、あるいは建物の壁に固定された固定壁であってもよい。
【００３０】
一対の縦枠３５，３６及びヘッダボックス３７によって三方枠が構成され、三方枠の内側は矩形空間Ｓとなっており、この矩形空間Ｓにドア２１及び防火扉１４が配置されている。ドア２１は、不燃性の材質からなる戸枠３９と、耐火試験に合格しないような材質からなり、戸枠３９の内側の空間部を塞ぐ閉塞部４０とを有する。戸枠３９は、例えば鉄製であり、戸先側の枠部材である戸先側枠３９ａと、戸尻側の枠部材である戸尻側枠３９ｂと、これらの上端同士を繋ぐ枠部材である上側枠３９ｃと、下端同士を繋ぐ枠部材である下側枠３９ｄと、を有する。閉塞部４０は、戸枠３９の厚みよりも薄い板材によって構成されており、例えばガラスや木材などから構成される。閉塞部４０は、戸先側枠３９ａ、戸尻側枠３９ｂ、上側枠３９ｃ及び下側枠３９ｄによって形成された矩形の空間部を塞ぐように、戸枠３９に嵌め込まれている。すなわち、矩形の空間部の縁面を構成する戸枠３９の内周面に設けられた溝に、閉塞部４０の外周部が挿入されるようにして、閉塞部４０は戸枠３９の内側に固定されている。図２では、板ガラスの透明な板部材が嵌め込められた例を示している。
【００３１】
ドア２１と防火扉１４とは厚み方向にずれた状態で矩形空間Ｓ内に配置されている。防火扉１４は、全面が金属製の構成であり、中央が大きく開口した扉本体１４ａと、扉本体１４ａの開口を開閉可能な子扉１４ｂとを有している。
【００３２】
図３（ａ）（ｂ）に示すように、三方枠は、通行人が通行可能な壁体Ｗの開口部ＷＯに矩形空間Ｓが連通するように壁体Ｗに固定されている。建物の壁体Ｗには、開口部ＷＯの一方側（図３（ａ）において右側）の縁部から、他方側（図３（ａ）において左側）の縁部から離れる方向に延びる凹部Ｗ１が形成されている。凹部Ｗ１は、上から見て矩形状に形成されており、開口部ＷＯの一方側の縁部から開口方向（通行者の通行方向）に垂直な方向に延びる主壁面Ｗ１１と、壁面の端部から開口方向に平行な方向に延びる端壁面Ｗ１２とを有する。
【００３３】
三方枠は、開口部ＷＯから凹部Ｗ１内に亘る範囲に設けられている。一方の縦枠３５（左側枠）は、開口部ＷＯの前記他方側（図３（ａ）において左側）の縁部に配設され、他方の縦枠３６（右側枠）は、凹部Ｗ１の端壁面Ｗ１２に沿って配設されている。そして、開口部ＷＯの前記一方側（図３（ａ）において右側）の縁部は、矩形空間Ｓの左右方向の中間位置に位置しており、当該縁部には、断面矩形状の縁部材４２が固定されている。したがって矩形空間Ｓは、開口部ＷＯに面し通行人が通行可能な連通部Ｓ１と、壁体Ｗの主壁面Ｗ１１に面し通行者が通行できない閉鎖部Ｓ２とが含まれている。
【００３４】
防火扉１４は、鉛直方向に延びる回動軸４４の回りに回動可能に床面及びヘッダボックス３７の底面に軸支されている。図３（ａ）（ｂ）は、防火扉１４が通常位置にある状態を示している。防火扉１４が通常位置にある場合には、防火扉１４は、矩形空間Ｓ内における閉鎖部Ｓ２に位置しており、主壁面Ｗ１１と防火扉１４とによってドア２１を収納可能な戸袋を形成している。
【００３５】
防火扉１４の回動軸４４は、矩形空間Ｓの中央に位置している。すなわち、防火扉１４の回動軸４４は、開口部ＷＯにおける凹部Ｗ１が隣接する縁部に位置している。したがって、防火扉１４は、壁体Ｗの凹部Ｗ１内に位置して開口部ＷＯを開放する通常位置と、開口部ＷＯを閉じる防火位置（図４参照）との間で移動可能である。この例では、防火扉１４は１８０度回動する。
【００３６】
防火扉１４は、オートヒンジ３２によって防火位置に向かう方向に付勢されている。一方で、防火扉１４は、図略のロック部材によって通常位置に保持されている。したがって、防火装置１６は、連動制御盤１８から非常信号を受けるとロックを解除し、これにより、防火扉１４は、防火位置に移動する。
【００３７】
防火扉１４の軸元側の部位には、防火位置にある防火扉１４とドア２１との隙間を狭くするための凸部４８が形成されている。すなわち、防火扉１４の回動軸４４は、防火扉１４における一方の主面１４ｃと他方の主面１４ｄとから等距離に位置している。そして、凸部４８は、防火扉１４が防火位置にあるときにドア２１ウェイ側を向く主面１４ｄから防火扉１４の厚み方向に突出するように形成されている。したがって、防火扉１４が通常位置にあるときにドア２１ウェイ側を向く（ドア２１に対向する）一方の主面１４ｃと開き位置にあるドア２１との間隙幅と、防火扉１４が防火位置にあるときにドア２１ウェイ側を向く他方の主面１４ｄと閉じ位置にあるドア２１との間隙幅とは、ほぼ同じ間隙幅となっている。そして、防火扉１４が防火位置にあるときにドア２１ウェイ側を向く他方の主面１４ｄに凸部４８が形成されることにより、防火扉１４が防火位置にある場合に、防火扉１４とドア２１の戸先側枠３９ａとの間のすき間幅が、所定の隙間幅になる設定となっている。この所定の隙間幅は、所定の防火性能が発揮できる幅である。
【００３８】
なお、防火扉１４が防火位置にあるときにドア２１との隙間を狭くする手段は凸部４８を形成するものに限られない。例えば、回動軸４４が、防火扉１４が防火位置にあるときにドア２１ウェイ側を向く主面１４ｄよりも、防火扉１４が通常位置にあるときにドア２１ウェイ側を向く主面１４ｃに近い位置に設けられていてもよい。
【００３９】
両縦枠３５，３６には、それぞれ、防火扉１４の軸先側の端部が当接する突起部５０が設けられている。防火扉１４が突起部５０に当接することにより、防火扉１４はドア２１と平行な状態で止まる。
【００４０】
ドア２１は、開口部ＷＯを閉じる閉じ位置（図３（ａ）参照）と、通常位置にある防火扉１４と主壁面Ｗ１１との間に入り込み、開口部ＷＯを開放する開き位置（図３（ｂ）参照）との間で移動可能となっている。閉じ位置では、ドア２１の戸先が前記一方の縦枠３５（左側枠）に当接するとともに、ドア２１の戸尻（戸尻側枠３９ｂ）における主壁面Ｗ１１側の側面が縁部材４２に対向する。このとき、戸尻の主壁面Ｗ１１側の側面と縁部材４２との間のすき間の幅は所定値以下となっている。
【００４１】
図５に示すように、ドア２１が開き位置にあるときには、戸先側枠３９ａが縁部材４２にまで達しないで、戸先側枠３９ａと縁部材４２との間に所定の隙間が形成される。このとき、開口部の縁部からのドア２１の突出量は、戸先側枠３９ａの幅（ドア２１の移動方向における戸先側枠３９ａの長さ）よりも大きな突出量となっている。すなわち、開き位置では、指詰め防止のための引き残しが作られる位置で停止するようになっている。引き残しは、防火扉１４に設けられたストッパ５２による。すなわち、ドア２１が開き動作をしているときに、ドア２１が通常位置にある防火扉１４のストッパ５２に当接することにより、ドア２１は引き残しが作られる位置で停止する。
【００４２】
ドア２１の閉塞部４０は、戸枠３９の厚み範囲に収まっているため、閉塞部４０の厚み方向両側面（主面）は、戸枠３９における厚み方向の端面に対して、厚み方向の内側に位置している。このため、ドア２１が、引き残しのある開き位置にある場合、戸枠３９と壁体Ｗの縁部材４２との間の隙間が確保されることにより、指詰めが防止されるが、この場合には、防火性能が発揮されない。
【００４３】
そこで、自動ドアコントローラ２６は、連動制御盤１８から非常信号を受信した防火時には、開き位置からさらにドア２１が開放する方向に移動するようにモータ２７を駆動制御する防火時駆動制御部２６ａを含む。したがって、防火扉１４が通常位置から移動してストッパ５２がドア２１から外れたときには、図３（ｂ）に示す開き位置からさらにドア２１が引っ込んで縦枠３６に当接した位置まで移動する（図４参照）。このとき、リミットスイッチ２８によってドア２１が所定位置に到達したことが検知される。これにより、ドア２１は、ドア２１の戸先が開口部ＷＯ内に突出しない状態まで引っ込んだ全開位置となる。このとき、図４に示すように、戸先側枠３９ａの一方の側面と縁部材４２とが対向するとともに、戸先側枠３９ａの他方の側面と防火扉１４の凸部４８の先端面とが対向する。これにより、防火性能が発揮される程度の隙間幅となる。全開位置では、ドア２１が子扉１４ｂの位置からずれた位置であるため、子扉１４ｂを開ける動作の邪魔にならない。
【００４４】
なお、ドア２１が閉じ位置にあるときに、自動ドアコントローラ２６が連動制御盤１８から非常信号を受信した場合には、ドア２１を開く動作を行うようにモータ２７を駆動する。このとき、防火扉１４は防火位置に移動するため、ドア２１は防火扉１４のストッパ５２に当接せず、全開位置まで移動することになる。ドア２１が全開位置にきたときには、リミットスイッチ２８がそれを検知し、ドア２１が停止するようにモータ２７が制御される。
【００４５】
以上説明したように、第１実施形態では、防火扉１４が全面金属製であるため、特定防火設備としての認定を受ける必要がない。また、ドア２１は、戸枠３９と戸枠３９の内側の空間部を塞ぐ閉塞部４０とを有するだけの構成であるため、ドア２１の構成が複雑化していることがなく、重量増になっているわけでもない。防火時に防火扉１４によって開口部ＷＯが塞がれるとともに、ドア２１の戸枠３９と防火扉１４とにより壁体Ｗとの間のすき間が所定以下（すき間が無い場合を含む）、例えば１ミリメートル以下など実質的にすき間が生じていない程度になるため、例えば閉塞部４０を構成するガラス材が割れたとしても、所定の防火性能を発揮することができる。なお、上記例では１ミリメートル以下としたが、実質的にすき間が生じないような大きさとしては、いわゆるラビリンス効果を考慮して、戸枠３９の表面と防火扉１４の表面が対面する幅に応じて定めることも可能である。この場合、幅が短ければ相対的にすき間は小さくする必要があり、幅が長ければ相対的にすき間は広くすることができるようになる。そして、このドア２１は、自動ドアコントローラ２６の制御によって開き位置と閉じ位置との間で駆動される。また、本実施形態では、防火扉１４は開口部ＷＯのみを覆い、ドア２１の収納部まで覆うわけではないため、コンパクトに構成することができる。なお、閉塞部４０を構成する板材として、ガラス材が用いられる場合には、採光や外観の面で効果的である。
【００４６】
また第１実施形態では、通常時の閉じ動作において、引き残しを設けることにより、戸枠３９の厚みよりも薄い閉塞部４０と壁体Ｗとの間に隙間が残される。この結果、指詰めが発生することを防止することができる。一方、防火時には、閉塞部４０と壁体Ｗとの間の隙間が解消されるように、ドア２１が駆動されて引き残しが解消される。したがって、防火時には、戸枠３９及び防火扉１４によって壁体Ｗとの間の隙間が解消された状態で開口部ＷＯが塞がれた状態になるため、耐火試験に合格しないような材質からなる閉塞部４０が火炎によって割れたり、溶けたりすることがあったとしても、防火を確実に行うことができる。
【００４７】
また第１実施形態では、防火扉１４は、鉛直に延びる回動軸４４回りに回動して防火位置に移動する構成であるため、防火扉１４を鉛直軸回りに回動させるための構成要素が必要になるだけであり、防火扉１４の駆動機構を簡素化することができる。
【００４８】
また第１実施形態では、防火扉１４が通常位置にあるときに、壁体Ｗと共にドア２１の戸袋を構成する。このため、ドア２１の戸尻側での安全性を確保することができる。
【００４９】
また第１実施形態では、防火扉１４の回動軸４４側の部位は、防火位置にあるときにドア２１との間に形成される隙間が、通常位置にあるときにドア２１との間に形成される隙間よりも小さくなるように形成されている。このため、防火扉１４の回動時に防火扉１４の回動軸４４側の部位がドア２１と干渉することを防止でき、しかも、防火扉１４が防火位置にきたときに、ドア２１との間に形成される隙間の幅が小さくなることにより、防火性を向上することができる。
【００５０】
また第１実施形態では、防火扉１４のストッパ５２によってドア２１を物理的に止めることによって引き残しを確保する。したがって、ドア２１が開き位置に移動したときに引き残しが生じないような事態が生ずることを確実に回避することができる。しかも、防火扉１４が鉛直軸回りに回動するため、防火扉１４にストッパ５２が設けられているとしても、防火扉１４が回動する際にストッパ５２がドア２１と干渉することを防止することができる。
【００５１】
また第１実施形態では、防火扉１４に子扉１４ｂが設けられており、自動ドアコントローラ２６は、防火扉１４が防火位置にあるときにドア２１を開き位置に移動させる制御を行う。したがって、防火扉１４によって開口部ＷＯが閉鎖されているときでも、子扉１４ｂを開けることによって、避難することができる。このときドア２１が避難の邪魔になることもない。
【００５２】
なお、第１実施形態では、防火扉１４が子扉１４ｂを有する構成としたが、子扉１４ｂが設けられていない構成であってもよい。この場合、図６に示すように、防火時においても、ドア２１が閉じ位置に位置づけられる構成としてもよい。この場合、防火扉１４の凸部４８の先端面が戸尻側枠３９ｂに対向し、凸部４８と戸尻側枠３９ｂとの間の隙間幅及び縁部材４２と戸尻側枠３９ｂとの間の隙間幅が所定以下となる。
【００５３】
また、第１実施形態では、自動ドア装置２２が、ドア２１が全開位置に到達したか否かを検知するリミットスイッチ２８を有する構成としたが、モータ２７を制御するために設けられたエンコーダを用いて検知するようにしてもよい。また、防火装置１６が、防火扉１４が作動した否かを検知するためのリミットスイッチ３１を有する構成としたが、ロック解除装置３０を動作させる信号を検出する手段で代用してもよい。
【００５４】
また、前記第１実施形態では、ドア２１の閉塞部４０が戸枠３９の厚み範囲に収まっている構成としたが、これに限られない。例えば、図７に示すように、閉塞部４０は、戸枠３９の外面に貼り合わされることによって空間部を塞ぐ一つの板材によって構成されてもよい。この場合、ドア２１は、戸枠３９の内周面のところで段差ができておらず、全体に一様な厚みとなる。このため、ドア２１の開き位置は、引き残しが生じる位置に限られるものではなく、戸先が開口部ＷＯ内に突出しない全開位置であってもよい。
【００５５】
前記第１実施形態では、防火扉１４が通常位置にあるときに、防火扉１４がドア２１の戸袋としても機能する構成とした。これに対し、図８（ａ）（ｂ）に示す防火扉１４は、通常位置にあるときにドア２１の戸袋としては機能せず、開き位置にあるドア２１が露出した構成となっている。
【００５６】
この場合、防火扉１４の回動軸４４は、一方の縦枠３５（閉じ位置にあるドア２１の戸先が当接する縦枠３５）に近接している。このため、防火扉１４が通常位置（図８（ａ））にあるときには、開き位置にあるドア２１とは開口部ＷＯを挟んで反対側に位置づけられる。そして、防火扉１４は、通常位置から回動することにより、開口部ＷＯを塞ぐ防火位置（図８（ｂ））となる。
【００５７】
この形態の場合、防火扉１４のストッパ５２は省略されるため、例えば、自動ドアコントローラ２６が、引き残しを確保した開き位置でドア２１を停止させる制御を行う。そして、非常信号を受信すると、開き位置から全開位置までドア２１を移動させる。
【００５８】
なお、図８（ｂ）では、防火扉１４が防火時に防火位置に位置づけられる一方で、ドア２１が全開位置に位置づけられる構成となっているが、これに限られない。図９に示すように、防火時において、ドア２１が閉じ位置に位置づけられる構成であってもよい。
【００５９】
図８及び図９では、壁体Ｗに凹部Ｗ１が設けられていない構成を示している。この構成では、ヘッダボックス３７が壁体Ｗの壁面に面付けされる構成となる。なお、図８及び図９の構成においても、前記実施形態と同様に壁体Ｗに凹部Ｗ１が形成されて、凹部Ｗ１内にドア２１が収容される構成としてもよい。
【００６０】
（第２実施形態）
図１０（ａ）（ｂ）は本発明の第２実施形態を示す。尚、ここでは第１実施形態と同じ構成要素には同じ符号を付し、その詳細な説明を省略する。
【００６１】
第２実施形態では、防火扉１４が回動するのではなく、スライド移動する点で第１実施形態と異なる。図１０（ａ）に示すように、防火扉１４が通常位置にある場合には、防火扉１４は、凹部Ｗ１の主壁面Ｗ１１に対向する位置にあり、壁体Ｗとともにドア２１の戸袋を形成する。このとき、防火扉１４の凸部４８は、ドア２１ウェイ側を向いている。すなわち、第１実施形態では、凸部４８は、通常位置にある防火扉１４において、ドア２１ウェイとは反対側を向いた主面に突出するように形成されているのに対し、第２実施形態では、それとは反対側の主面に形成されている。
【００６２】
図１０（ｂ）に示すように、凸部４８は、防火扉１４が防火位置にあるときに、ドア２１の戸先側枠３９ａに隣り合うように、防火扉１４における戸尻側の端部に形成されている。なお、凸部４８を省略してもよい。この場合、防火扉１４は、ドア２１ウェイ側の主面とドア２１の戸尻側枠３９ｂとの間の隙間が所定以下になるようにドア２１ウェイ側の主面が規定される。
【００６３】
防火扉１４がスライド移動する構成にするには、防火扉１４に対して一方向に付勢力を発生させる付勢手段が設けられる。例えば、傾斜レールを用いて防火扉１４の自重により防火扉１４の駆動力を発生させる構成、ばねやゴム等の弾性力によって防火扉１４の駆動力を発生させる構成、滑車を介して錘の自重によって防火扉１４の駆動力を生じさせる構成等が採用できる。
【００６４】
第２実施形態では、防火扉１４が回動するために必要なスペースが不要になる。また、防火扉１４の回動範囲に物が置かれていて防火扉１４を閉めることができない、というような事態が生ずることを回避することができる。
【００６５】
また第２実施形態では、防火扉１４が通常位置にあるときには、防火扉１４がドア２１の戸袋としても機能するため、ドア２１の戸尻側での安全性を確保することができる。
【００６６】
なお、図１０（ｂ）では、防火扉１４が防火時に防火位置に位置づけられる一方で、ドア２１が全開位置に位置づけられる構成となっているが、これに限られない。図１１に示すように、防火時において、ドア２１が閉じ位置に位置づけられる構成であってもよい。この場合、子扉１４ｂが省略される。
【００６７】
前記第２実施形態では、防火扉１４は、通常位置にあるときに、壁体Ｗとともにドア２１の戸袋を形成する構成となっているが、これに限られない。例えば、図１２（ａ）（ｂ）に示すように、開口部ＷＯを挟んでドア２１の開き位置とは反対側に通常位置が設定される構成であってもよい。
【００６８】
通常位置が設定される壁体Ｗには、ドア２１が閉じ位置に来たときに当接する縦枠３５が設けられているが、この縦枠３５は、ドア２１の厚み範囲にのみ設けられている。この壁体Ｗには、防火扉１４が収められるように第２凹部Ｗ２が形成されている。なお、第２凹部Ｗ２が設けられずに、防火扉１４が壁面に沿うように配置される構成であってもよい。
【００６９】
図１２（ｂ）では、防火扉１４が防火時に防火位置に位置づけられる一方で、ドア２１が全開位置に位置づけられる構成となっているが、これに限られない。図１３に示すように、防火時において、ドア２１が閉じ位置に位置づけられる構成であってもよい。この場合、子扉１４ｂが省略される。
【００７０】
前記第２実施形態では、ドア２１と防火扉１４とがドア２１の厚み方向にずれた構成としたが、これに限られない。例えば、図１４（ａ）（ｂ）に示すように、防火扉１４がドア２１のドアウェイ上を移動する構成であってもよい。この場合、ドア２１が閉じ位置で、防火扉１４が通常位置にあるときには、ドア２１の戸先と防火扉１４の戸先とが互いに当接する。また、ドア２１が全開位置で、防火扉１４が防火位置あるときも同様である（図１４（ｂ））。図１４（ａ）に示すように、ドア２１の戸先面と、防火扉１４の戸先面とは、互いに嵌合し合う形状に形成されていてもよい。戸先面はそれぞれ平坦面であってもよい。この形態では、ドア２１が移動するドアウェイ上を防火扉１４がスライド移動する構成となるため、ドア２１及び防火扉１４を含めた全体の厚みを薄くすることができる。
【００７１】
前記第２実施形態では、防火扉１４が側方（水平方向）に移動する構成となっているが、これに限られない。例えば、防火扉１４は、降下することによって開口部ＷＯを閉じる構成であってもよい。図１５に示すように、防火扉１４の通常位置は、開口部ＷＯの上側に設定されており、このとき、防火扉１４は、シャッターのように丸められた状態又は折り畳まれた状態でコンパクトに配置されている。この状態では、開口部ＷＯは開放されている（図１６（ａ）（ｂ）参照）。
【００７２】
防火扉１４は、開口部ＷＯの幅に対応した幅となっているため、ヘッダボックス３７の長さのほぼ半分の幅となっている。このため、防火扉１４が開口部ＷＯを閉鎖する防火位置にあるときでも、三方枠内の連通部Ｓ１のみを覆い、閉鎖部Ｓ２までは覆っていない（図１６（ｃ））。したがって、防火扉１４のコンパクト化が図られている。
【００７３】
図１６（ｃ）では、防火扉１４が防火時に防火位置に位置づけられる一方で、ドア２１が全開位置に位置づけられる構成となっているが、これに限られない。図１７に示すように、防火時において、ドア２１が閉じ位置に位置づけられる構成であってもよい。この場合、子扉１４ｂが省略される。
【００７４】
なお、その他の構成、作用及び効果はその説明を省略するが前記第１実施形態と同様である。
【００７５】
ここで、防火扉１４が軸回りに回動する構成において、ドア２１の引き残しを機械的な構成で解消する一例について説明する。
【００７６】
図１８に示すように、防火扉１４の軸元側の部位には、回動軸４４から防火扉１４の戸先とは反対側に延出された突起状の押圧部５７が形成されている。ドア２１には、防火扉１４が回動したときに押圧部５７に押される受け部５８が形成されている。押圧部５７は、例えば防火扉１４の下面に設けられていて、受け部５８は例えばドア２１の下面から下方に突出するように設けられている。
【００７７】
押圧部５７は、防火扉１４が回動したときに、閉じ位置にあるドア２１の押圧部５７に係合し（図１９（ｂ））、ドア２１を閉じ位置から全閉位置に向かって押圧する。そして、押圧部５７は、ドア２１が全閉位置に到達したしたところで、受け部５８から離脱する長さに設定されている（図１９（ｃ））。したがって、防火扉１４に、ドア２１の受け部５８に係合可能な押圧部５７が設けられているとしても、防火扉１４は、防火位置まで回動することができる（図１９（ｄ））。
【符号の説明】
【００７８】
１０  自動ドアシステム
１２  自動ドア
１４  防火扉
１４ａ  扉本体
１４ｂ  子扉
１４ｃ  主面
１４ｄ  主面
１８  連動制御盤（防火制御部）
２１  ドア
２２  自動ドア装置
２６  自動ドアコントローラ（駆動制御部）
２６ａ  防火時駆動制御部
３９  戸枠
３９ａ  戸先側枠
３９ｂ  戸尻側枠
３９ｃ  上側枠
３９ｄ  下側枠
４０  閉塞部
４２  縁部材
４４  回動軸
４８  凸部
５０  突起部
５２  ストッパ
【図１】
2015151816.tif 000003
【図２】
2015151816.tif 000004
【図３】
2015151816.tif 000005
【図４】
2015151816.tif 000006
【図５】
2015151816.tif 000007
【図６】
2015151816.tif 000008
【図７】
2015151816.tif 000009
【図８】
2015151816.tif 000010
【図９】
2015151816.tif 000011
【図１０】
2015151816.tif 000012
【図１１】
2015151816.tif 000013
【図１２】
2015151816.tif 000014
【図１３】
2015151816.tif 000015
【図１４】
2015151816.tif 000016
【図１５】
2015151816.tif 000017
【図１６】
2015151816.tif 000018
【図１７】
2015151816.tif 000019
【図１８】
2015151816.tif 000020
【図１９】
2015151816.tif 000021